(57)【要約】      （修正有）【課題】表示部材への取り付けの容易性を向上させることのできる照明装置を提供する。【解決手段】照明装置１は、発光部を有する本体部１０と、本体部１０を支持する支持部３０と、支持部３０の端部に配置され、表示部材１００に対して着脱可能な取付部４０と、を備え、取付部４０は、表示部材１００における一方の面側に位置する背面側把持部４２と、背面側把持部４２に対して本体部１０が位置する側に配置される前面側把持部４３と、前面側把持部４３を貫通し、前面側把持部４３に対して移動可能に配置される軸部４５と、前面側把持部４３と背面側把持部４２との間に配置されて軸部４５の一端に取り付けられ、表示部材１００における背面側把持部４２が位置する側の反対側の面に接触する押圧部４６と、軸部４５における押圧部４６が取り付けられる側の反対側の端部に取り付けられ、軸部４５を移動させることができる操作部４８と、を有する。【選択図】図８
0003229433.tif 000002
【実用新案登録請求の範囲】
【請求項１】
発光部を有する本体部と、
前記本体部を支持する支持部と、
前記支持部の端部に配置され、表示部材に対して着脱可能な取付部と、
を備え、
前記取付部は、
前記取付部を前記表示部材に取り付けた際に、前記表示部材における一方の面側に位置する背面側把持部と、
前記背面側把持部から離間し、前記背面側把持部に対して前記本体部が位置する側に配置される前面側把持部と、
前記前面側把持部を、前記前面側把持部と前記背面側把持部とが離間する方向に貫通し、前記前面側把持部を貫通する方向に前記前面側把持部に対して移動可能に配置される軸部と、
前記前面側把持部と前記背面側把持部との間に配置されて前記軸部の一端に取り付けられ、前記取付部を前記表示部材に取り付けた際に、前記表示部材における前記背面側把持部が位置する側の反対側の面に接触する押圧部と、
前記軸部における前記押圧部が取り付けられる側の反対側の端部に取り付けられ、前記軸部が前記前面側把持部を貫通する方向に前記軸部を移動させることができる操作部と、
を有することを特徴とする照明装置。
【請求項２】
前記軸部には、外周面にねじ山が形成され、
前記前面側把持部には、前記軸部のねじ山に対応するねじ孔が形成され、
前記軸部は、前記前面側把持部のねじ孔を挿通した状態で回転させることにより、前記前面側把持部に対して移動する請求項１に記載の照明装置。
【請求項３】
前記操作部は、前記軸部の径方向における大きさが前記軸部の直径よりも大きい請求項１または２に記載の照明装置。
【請求項４】
前記押圧部は、前記軸部の径方向における大きさが前記軸部の直径よりも大きい請求項１〜３のいずれか１項に記載の照明装置。
【請求項５】
前記押圧部には、前記表示部材に接触する面に、弾力性を有する弾性部材が配置される請求項１〜４のいずれか１項に記載の照明装置。
【請求項６】
光エネルギーを電力に変換する太陽電池と、
前記太陽電池で変換した電力を蓄える蓄電部と、
を備え、
前記発光部は、前記蓄電部から供給される電力よって発光する請求項１〜５のいずれか１項に記載の照明装置。
【考案の詳細な説明】
【技術分野】
【０００１】
本考案は、看板等の表示部材に取り付ける照明装置に関する。
【背景技術】
【０００２】
例えば、道路工事を行う箇所等、車両の運転者や歩行者に注意喚起を行った方が良い場所には、工事中であることを示す看板が設置される。しかし、看板は、夜間は視認し難いため、従来の照明装置の中には、夜間のおける看板の視認性を高めることができるように構成されているものがある。例えば、特許文献１に記載された照明装置は、看板の上部端縁に取り付けることにより、照明装置から発光される光が看板に当たるようにし、看板の視認性を確保している。
【先行技術文献】
【特許文献】
【０００３】
【特許文献１】特開２００３−１５００８５号公報
【考案の概要】
【考案が解決しようとする課題】
【０００４】
ここで、看板等の表示部材を任意に場所に設置する際には、自立させたり、電柱等の立設部材に取り付けたりすることに設置する。特許文献１に記載された照明装置のように、取付部が有する押圧板を表示部材に押し付けることによって表示部材に取り付ける照明装置は、自立させる表示部材に対しては容易に取り付けることができるが、電柱等の立設部材に取り付ける看板に対しては、照明装置の取り付けが困難になる虞がある。即ち、表示部材を立設部材に取り付ける際には、表示部材の表示面の反対側の面が立設部材側に向く向きで表示部材を配置し、ゴム製のバンド等によって表示部材を立設部材に括り付けて取り付ける。
【０００５】
一方、特許文献１に記載された照明装置のように、押圧板を表示部材に押し付けることにより表示部材に取り付ける照明装置では、照明装置は、表示部材の表示面側に照射部が位置し、表示部材における表示面の反対側に、押圧板を表示部材に押し付ける押圧調整ねじが位置する向きで取り付ける。このため、表示部材を立設部材に取り付けた状態では、押圧調整ねじを操作するのが困難になるため、表示部材に対する照明装置の取り付け性の観点で改良の余地があった。
【０００６】
本考案は、上記に鑑みてなされたものであって、表示部材への取り付けの容易性を向上させることのできる照明装置を提供することを目的とする。
【課題を解決するための手段】
【０００７】
上述した課題を解決し、目的を達成するために、本考案に係る照明装置は、発光部を有する本体部と、前記本体部を支持する支持部と、前記支持部の端部に配置され、表示部材に対して着脱可能な取付部と、を備え、前記取付部は、前記取付部を前記表示部材に取り付けた際に、前記表示部材における一方の面側に位置する背面側把持部と、前記背面側把持部から離間し、前記背面側把持部に対して前記本体部が位置する側に配置される前面側把持部と、前記前面側把持部を、前記前面側把持部と前記背面側把持部とが離間する方向に貫通し、前記前面側把持部を貫通する方向に前記前面側把持部に対して移動可能に配置される軸部と、前記前面側把持部と前記背面側把持部との間に配置されて前記軸部の一端に取り付けられ、前記取付部を前記表示部材に取り付けた際に、前記表示部材における前記背面側把持部が位置する側の反対側の面に接触する押圧部と、前記軸部における前記押圧部が取り付けられる側の反対側の端部に取り付けられ、前記軸部が前記前面側把持部を貫通する方向に前記軸部を移動させることができる操作部と、を有することを特徴とする。
【０００８】
また、上記照明装置において、前記軸部には、外周面にねじ山が形成され、前記前面側把持部には、前記軸部のねじ山に対応するねじ孔が形成され、前記軸部は、前記前面側把持部のねじ孔を挿通した状態で回転させることにより、前記前面側把持部に対して移動することが好ましい。
【０００９】
また、上記照明装置において、前記操作部は、前記軸部の径方向における大きさが前記軸部の直径よりも大きいことが好ましい。
【００１０】
また、上記照明装置において、前記押圧部は、前記軸部の径方向における大きさが前記軸部の直径よりも大きいことが好ましい。
【００１１】
また、上記照明装置において、前記押圧部には、前記表示部材に接触する面に、弾力性を有する弾性部材が配置されることが好ましい。
【００１２】
また、上記照明装置において、光エネルギーを電力に変換する太陽電池と、前記太陽電池で変換した電力を蓄える蓄電部と、を備え、前記発光部は、前記蓄電部から供給される電力よって発光することが好ましい。
【考案の効果】
【００１３】
本考案に係る照明装置は、表示部材への取り付けの容易性を向上させることができる、という効果を奏する。
【図面の簡単な説明】
【００１４】
【図１】図１は、実施形態に係る照明装置の側面図である。
【図２】図２は、図１のＡ−Ａ矢視図である。
【図３】図３は、図１のＢ−Ｂ矢視図である。
【図４】図４は、図１のＣ−Ｃ矢視図である。
【図５】図５は、図１の下斜め方向から見た斜視図である。
【図６】図６は、実施形態に係る照明装置の機能ブロック図である。
【図７】図７は、立設部材に表示部材が取り付けられた状態を示す説明図である。
【図８】図８は、表示部材に照明装置を取り付けた状態を示す説明図である。
【図９】図９は、本体部が回動することについての説明図である。
【図１０】図１０は、本体部が回動することについての説明図である。
【図１１】図１１は、制御部で発光部の発光状態を切り替える際の制御の流れを示すフロー図である。
【図１２】図１２は、実施形態に係る照明装置の変形例であり、自立する表示部材に照明装置が取り付けられる状態を示す説明図である。
【図１３】図１３は、実施形態に係る照明装置の変形例であり、壁状の立設部材に取り付けられる表示部材に照明装置が取り付けられた状態を示す説明図である。
【考案を実施するための形態】
【００１５】
以下に、本考案に係る照明装置の実施形態を図面に基づいて詳細に説明する。なお、この実施形態によりこの考案が限定されるものではない。また、下記実施形態における構成要素には、当業者が置換可能、且つ、容易に想到できるもの、或いは実質的に同一のものが含まれる。
【００１６】
［実施形態］
図１は、実施形態に係る照明装置１の側面図である。図２は、図１のＡ−Ａ矢視図である。図３は、図１のＢ−Ｂ矢視図である。図４は、図１のＣ−Ｃ矢視図である。図５は、図１の下斜め方向から見た斜視図である。なお、以下の説明では、照明装置１の通常の使用状態における上下方向を、照明装置１における上下方向Ｚとして説明し、照明装置１の通常の使用状態における上側を、照明装置１における上側とし、照明装置１の通常の使用状態における下側を、照明装置１における下側として説明する。また、以下の説明では、後述する支持部３０の延在方向を照明装置１における長さ方向Ｙとして説明し、照明装置１の上下方向と長さ方向との双方に直交する方向を、照明装置１における幅方向Ｘとして説明する。
【００１７】
本実施形態に係る照明装置１は、本体部１０と、ソーラーユニット２０と、支持部３０と、取付部４０とを有している。このうち、本体部１０は、幅方向Ｘに延びて形成され、本体部１０の外部形状を構成すると共に内側に空間を有する筐体１１と、透過性を有する透明カバー１２と、光を発光する発光部１３とを有している。透明カバー１２は、筐体１１の下側の面に取り付けられており、筐体１１と透明カバー１２とは、透明カバー１２が筐体１１に取り付けられて一体になった状態では、内側に空間を有している。
【００１８】
発光部１３は、例えば、ＬＥＤ（Ｌｉｇｈｔ  Ｅｍｉｔｔｉｎｇ  Ｄｉｏｄｅ）からなり、電力を供給することにより発光する。筐体１１と透明カバー１２とにより区画される空間内に配置される発光部１３は、発光時には、発光部１３から照射される光が透明カバー１２を透過することにより、発光部１３からの光を筐体１１及び透明カバー１２の外部に向けて照射することが可能になっている。本体部１０は、このように構成される発光部１３を複数有しており、本実施形態では、３つの発光部１３が幅方向Ｘに並んで配置されている。
【００１９】
また、発光部１３の発光時に発光部１３からの光が透過する透明カバー１２における、筐体１１が位置する側の反対側の面は、照明装置１において光を発光する発光面１４として構成されている。発光面１４を構成する透明カバー１２は、発光部１３からの光が透過する際に、光を拡散させることができる加工が施されている。これにより、透明カバー１２は、発光部１３からの光を、拡散させながら透過させることが可能になっている。
【００２０】
また、本体部１０には、電源スイッチ１６と、切替スイッチ１７とが配置されている。電源スイッチ１６は、照明装置１が有する発光部１３を発光させるか否かを切り替えるスイッチになっており、即ち、電源スイッチ１６は、照明装置１のＯＮ・ＯＦＦスイッチになっている。また、切替スイッチ１７は、発光部１３を発光させる際における発光モードを切り替えるためのスイッチになっている。本実施形態では、発光部１３の発光モードは、発光部１３が発光し続ける点灯モードと、発光部１３の発光と消灯とが繰り返される点滅モードとを有しており、切替スイッチ１７は、点灯モードと点滅モードとを切り替えることが可能になっている。
【００２１】
これらの電源スイッチ１６と切替スイッチ１７とは、いずれも押しボタン式のスイッチになっており、電源スイッチ１６は、押すたびに照明装置１のＯＮとＯＦＦとを切り替えることができ、切替スイッチ１７は、押すたびに点灯モードと点滅モードとを切り替えることができる。また、電源スイッチ１６と切替スイッチ１７とは、いずれも本体部１０における透明カバー１２が配置される側の面の反対側の面に配置されており、本体部１０における、幅方向Ｘにおいて互いに反対側の端部付近に配置されている。
【００２２】
支持部３０は、照明装置１において本体部１０を支持する支持部材になっている。詳しくは、支持部３０は、長さ方向Ｙに延びる部材として形成されており、長さ方向Ｙにおける一端に本体部１０が取り付けられている。支持部３０に取り付けられる本体部１０は、支持部３０の長さ方向における一端に、軸方向が幅方向Ｘとなる本体部回動軸１５を中心として回動自在に取り付けられている。つまり、本体部１０は、支持部３０に対して本体部回動軸１５を中心として回動自在に、支持部３０に取り付けられている。また、本体部１０は、幅方向Ｘにおける中央付近の位置が、支持部３０に取り付けられており、即ち、本体部１０は、本体部１０が有する筐体１１の幅方向Ｘにおける中央付近の位置が、本体部回動軸１５を介して支持部３０に取り付けられている。
【００２３】
ソーラーユニット２０は、本体部１０に取り付けられており、上下方向Ｚにおける本体部１０の上側に配置されている。ソーラーユニット２０は、内側に空間を有する筐体２１と、透過性を有する透明カバー２２と、光エネルギーを電力に変換する太陽電池２３とを有している。透明カバー２２は、筐体２１の上側に取り付けられており、筐体２１と透明カバー２２とは、透明カバー２２が筐体２１に取り付けられて一体になった状態では、内側に空間を有している。太陽電池２３は、筐体２１と透明カバー２２とにより区画される内側の空間に配置されており、ソーラーユニット２０の外部から照射されて透明カバー２２を透過する光を受けることが可能になっている。これにより、筐体２１と透明カバー２２とにより区画される空間内に配置される太陽電池２３は、透明カバー２２を透過した光の光エネルギーを電力に変換することが可能になっている。
【００２４】
このように構成されるソーラーユニット２０は、本体部１０に対して、ソーラーユニット回動軸２５を中心として回動自在に取り付けられている。ソーラーユニット回動軸２５は、本体部回動軸１５の近傍で本体部回動軸１５の上側に位置しており、回動の軸方向が幅方向Ｘになっている。即ち、ソーラーユニット回動軸２５は、回動の軸方向が本体部回動軸１５と平行になる回動軸になっており、ソーラーユニット２０は、ソーラーユニット回動軸２５を中心として、本体部１０に対して回動自在に配置されている。
【００２５】
取付部４０は、支持部３０の延在方向における、本体部１０が配置される側の端部の反対側の端部に配置されており、照明装置１を、後述する表示部材１００（図７、図８参照）に取り付ける際における、取り付け部分になっている。このため、取付部４０は、表示部材１００に対して着脱可能に構成されている。取付部４０は、背面側把持部４２と、前面側把持部４３と、軸部４５と、押圧部４６と、操作部４８と、を有している。このうち、背面側把持部４２と前面側把持部４３とは、枠体４１として一体に形成されている。
【００２６】
枠体４１は、板状の部材が、板の厚さ方向に２箇所で折り曲げられることにより、幅方向Ｘに見た場合にコ字状となる部材になっており、コ字の開口側が下側に位置して下側に向かって開口し、コ字の閉塞側が上側に位置する向きで配置されている。枠体４１は、支持部３０の延在方向における、本体部１０が配置される側の端部の反対側の端部付近に配置されており、コ字の閉塞側の部分が、支持部３０の下側の面に取り付けられることにより、支持部３０と一体となって形成されている。また、枠体４１は、幅方向Ｘにおける幅は、支持部３０の幅方向における幅よりも大きくなっている。
【００２７】
背面側把持部４２は、枠体４１を幅方向Ｘに見た際のコ字状の形状における、閉塞側から開口側に向かって立設する２箇所の部分のうち、本体部１０が位置する側の反対側の部分になっている。このため、背面側把持部４２は、厚さ方向が長さ方向Ｙになる向きで配置される、板状の部材になっている。なお、本実施形態では、背面側把持部４２は、幅方向Ｘにおける幅が、枠体４１における背面側把持部４２以外の部分の幅方向Ｘにおける幅よりも大きくなっている。
【００２８】
また、前面側把持部４３は、枠体４１を幅方向Ｘに見た際のコ字状の形状における、閉塞側から開口側に向かって立設する２箇所の部分のうち、本体部１０が位置する側の部分になっている。即ち、前面側把持部４３は、背面側把持部４２から長さ方向Ｙに離間し、背面側把持部４２に対して本体部１０が位置する側に配置されている。このように形成される前面側把持部４３は、背面側把持部４２と同様に、厚さ方向が長さ方向Ｙになる向きで配置される、板状の部材になっている。
【００２９】
それぞれ板状の部材であり、互いに離間して配置される背面側把持部４２と前面側把持部４３とは、取付部４０を取り付けることが想定される表示部材１００（図７、図８参照）の厚さ以上の間隔で離間して配置されている。このため、背面側把持部４２と前面側把持部４３とは、取付部４０を表示部材１００に取り付けた際には、表示部材１００の厚さ方向における両側に位置する状態になる。換言すると、背面側把持部４２は、取付部４０を表示部材１００に取り付けた際に、表示部材１００における一方の面側に位置する部材になっている。また、前面側把持部４３は、取付部４０を表示部材１００に取り付けた際に、表示部材１００における、背面側把持部４２が位置する側の面の反対の面側に位置する部材になっている。
【００３０】
軸部４５は、丸棒状の部材になっており、前面側把持部４３を、前面側把持部４３と背面側把持部４２とが離間する方向に貫通し、前面側把持部４３を貫通する方向に前面側把持部４３に対して移動可能に配置されている。即ち、軸部４５は、板状の部材である前面側把持部４３を、板の厚さ方向に貫通しており、換言すると、軸部４５は、長さ方向Ｙに延在して前面側把持部４３を貫通している。
【００３１】
詳しくは、軸部４５には、外周面にねじ山が形成され、前面側把持部４３には、軸部４５のねじ山に対応するねじ孔が形成されている。このため、軸部４５は、前面側把持部４３のねじ孔を挿通した状態で回転させることにより、前面側把持部４３に対して前面側把持部４３の貫通方向に移動することが可能になっている。本実施形態では、前面側把持部４３には、前面側把持部４３の幅方向Ｘにおける中央付近の位置に、直径が軸部４５の直径よりも大きい孔が形成されており、さらに、前面側把持部４３には、ねじ孔の中心が当該孔の中心と実質的に一致する位置に、ナット４４が取り付けられている。
【００３２】
ナット４４のねじ孔は、軸部４５の外周面のねじ山に対応する大きさになっており、これにより、前面側把持部４３は、軸部４５のねじ山に対応するねじ孔が形成された形態になり、即ち、前面側把持部４３には、軸部４５のねじ山に対応するねじ孔が実質的に形成される。軸部４５は、ナット４４に挿し込まれ、外周面のねじ山とナット４４のねじ孔が噛み合う状態で軸部４５の軸心を中心として回転させることにより、前面側把持部４３に対して、軸部４５の延在方向、即ち、長さ方向Ｙに移動することが可能になっている。
【００３３】
押圧部４６は、前面側把持部４３と背面側把持部４２との間に配置されており、軸部４５の一端に取り付けられている。詳しくは、押圧部４６は、直径が軸部４５の直径よりも大きい略円板状の形状になっており、円板の厚さ方向が軸部４５の延在方向になる向きで、軸部４５における前面側把持部４３と背面側把持部４２との間に配置する側の端部に取り付けられている。これにより、押圧部４６は、軸部４５の径方向における大きさが、軸部４５の周方向におけるいずれの方向においても軸部４５の直径よりも大きくなって形成され、前面側把持部４３と背面側把持部４２との間に配置されている。
【００３４】
このように、前面側把持部４３と背面側把持部４２との間に配置される押圧部４６は、取付部４０を表示部材１００（図７、図８参照）に取り付けた際に、表示部材１００における背面側把持部４２が位置する側の反対側の面に接触する部分になっている。即ち、取付部４０を表示部材１００に取り付けた場合は、表示部材１００の厚さ方向における一方の面には背面側把持部４２が接触し、表示部材１００の厚さ方向における他方の面には押圧部４６が接触する。
【００３５】
また、取付部４０を表示部材１００に取り付けた際に表示部材１００に接触する押圧部４６には、表示部材１００に接触する面に、弾力性を有する弾性部材４７が配置されている。即ち、前面側把持部４３と背面側把持部４２との間に配置される押圧部４６には、背面側把持部４２に対向する側の面に、弾性部材４７が配置されている。弾性部材４７は、例えば、弾力性を有するゴム材料からなり、押圧部４６が表示部材１００に接触する際には、弾性部材４７が接触する。なお、弾性部材４７は、ゴム材料以外であってもよく、例えば、ウレタンフォーム等、弾力性を有する部材であれば、その種類は問わない。
【００３６】
操作部４８は、軸部４５における押圧部４６が取り付けられる側の反対側の端部に取り付けられている。即ち、操作部４８は、前面側把持部４３を貫通する軸部４５における、長さ方向Ｙにおいて前面側把持部４３よりも本体部１０寄りに位置する側の軸部４５の端部に取り付けられている。操作部４８は、照明装置１のユーザーが操作をすることにより、軸部４５が前面側把持部４３を貫通する方向に軸部４５を移動させることが可能になっている。
【００３７】
つまり、軸部４５は、軸部４５の軸心を中心として回転させることにより、軸部４５の延在方向に移動することが可能になっているため、操作部４８は、ユーザーが軸部４５を回転させることができる部材になっている。具体的には、操作部４８は、軸部４５の径方向における大きさが、軸部４５の周方向におけるいずれの方向においても軸部４５の直径よりも大きいノブ状の部材になっており、軸部４５と一体となって回転可能に軸部４５に取り付けられている。操作部４８は、軸部４５を、ユーザーが軸部４５の軸心を中心として回転させ易い形態で形成されていれば、形状や大きさは問わない。
【００３８】
図６は、実施形態に係る照明装置１の機能ブロック図である。照明装置１は、発光部１３に供給する電力を制御することにより、発光部１３の発光の状態を切り替えることができる制御部６０を有している。制御部６０は、ＣＰＵ（Ｃｅｎｔｒａｌ  Ｐｒｏｃｅｓｓｉｎｇ  Ｕｎｉｔ）等を有する処理部や、ＲＡＭ（Ｒａｎｄｏｍ  Ａｃｃｅｓｓ  Ｍｅｍｏｒｙ）等の記憶部を備える電子制御装置として構成されており、照明装置１の本体部１０の内部に配置されている。制御部６０には、発光部１３と、電源スイッチ１６と、切替スイッチ１７と、太陽電池２３と、二次電池６１とが接続されている。
【００３９】
このうち、太陽電池２３は、照明装置１で用いる電力の発電部になっており、周囲から受けた光を用いて電力の発電を行う。また、太陽電池２３は、本実施形態では、周囲の照度を検出する照度検出部６５としても用いられており、照度検出部６５を兼ねている。つまり、太陽電池２３は、太陽電池２３で受けた光エネルギーを電力に変換するため、太陽電池２３で発生する電力は、太陽電池２３で受ける光の光量に応じて変化する。即ち、太陽電池２３は、受けた光の光量が多い場合には、多くの電力を発生し、受けた光の光量が少ない場合には、発生する電力が少なくなるので、太陽電池２３で発生した電力を検出することにより、照明装置１の周囲の照度を検出することが可能になっている。
【００４０】
二次電池６１は、太陽電池２３で変換した電力を蓄える蓄電部になっており、照明装置１で用いる電力の電源になっている。二次電池６１には、周囲から受けた光より太陽電池２３で変換した電力が制御部６０を介して供給され、蓄電を行う。
【００４１】
また、二次電池６１は、発光部１３で用いる電力を、制御部６０を介して発光部１３に供給し、発光部１３は、二次電池６１から供給された電力により発光する。即ち、発光部１３は、太陽電池２３で変換した電力が二次電池６１を介して供給されることにより発光する。また、制御部６０も、二次電池６１から供給される電力により駆動する。
【００４２】
さらに、二次電池６１は、外部電源７５から供給される電力を蓄電することが可能になっている。詳しくは、本体部１０（図１参照）には、ＡＣアダプタ７０が接続可能になっており、制御部６０は、外部電源７５からＡＣアダプタ７０を介して供給される電力を二次電池６１に供給することができる。これにより、制御部６０は、ＡＣアダプタ７０を介して外部電源７５から供給される電力を、二次電池６１に蓄電させることが可能になっている。この場合における外部電源７５としては、例えば、１００Ｖの商用電源が用いられる。二次電池６１は、このように外部電源７５から供給された電力を蓄電した際には、外部電源７５から供給された電力も発光部１３に供給することにより、発光部１３を発光させる。
【００４３】
制御部６０は、電源スイッチ１６に対する入力に基づいて、照明装置１のＯＮとＯＦＦとが切り替えられる。また、制御部６０は、照明装置１がＯＮになっており、発光部１３を発光させることが可能な状態である場合には、切替スイッチ１７への入力操作に基づいて切り替えられる発光モードに基づいて、発光部１３を点灯させるか、点滅させるかの切り替えを行う。さらに、制御部６０は、照明装置１がＯＮであり、発光部１３を発光させることが可能な状態である場合には、太陽電池２３が兼ねる照度検出部６５で検出した照度や、二次電池６１の電圧に基づいて、発光部１３に供給する電力を制御する。
【００４４】
本実施形態に係る照明装置１は、以上のような構成からなり、以下、その作用について説明する。図７は、立設部材１５０に表示部材１００が取り付けられた状態を示す説明図である。照明装置１は、道路工事を行う箇所であること等を表示し、車両の運転者や歩行者に注意喚起を行う看板等の板状の表示部材１００に取り付けて使用される。工事中であることを示す看板等の表示部材１００は、例えば、図７に示すように、ゴムバンド１５５等を用いて電柱に代表される柱状部材等の立設部材１５０に括り付けて立設部材１５０に取り付けることにより、任意の場所に設置する。この場合、表示部材１００は、注意喚起等の情報を表示する表示面１０１が、立設部材１５０が位置する側の反対側に位置する向きで、立設部材１５０に取り付ける。
【００４５】
照明装置１を、このように立設部材１５０に取り付けられている表示部材１００に取り付ける際には、照明装置１は、表示部材１００が立設部材１５０に取り付けられている状態で、表示部材１００の上端１０２の部分に取り付ける。表示部材１００への照明装置１の取り付けは、照明装置１が有する取付部４０により行う。
【００４６】
取付部４０によって照明装置１を表示部材１００に取り付ける際には、まず、取付部４０が有する押圧部４６の弾性部材４７と、背面側把持部４２との間隔を、表示部材１００の厚さ以上の大きさにする。この押圧部４６の弾性部材４７と背面側把持部４２との間隔の調節は、操作部４８を操作することにより行う。つまり、ユーザーが操作部４８を回転させて軸部４５を移動させることにより、軸部４５と共に押圧部４６を移動させ、押圧部４６における背面側把持部４２に対向する側の面に配置される弾性部材４７と、背面側把持部４２との間隔を、表示部材１００の厚さ以上の大きさにする。
【００４７】
取付部４０の押圧部４６が有する弾性部材４７と背面側把持部４２との間隔を、表示部材１００の厚さ以上の大きさにしたら、表示部材１００の上端１０２から、弾性部材４７と背面側把持部４２との間に表示部材１００を入り込ませる。詳しくは、取付部４０が有する枠体４１を幅方向Ｘに見た場合の形状であるコ字の開口側から、弾性部材４７と背面側把持部４２との間に表示部材１００を入り込ませる。その際に、照明装置１は、表示部材１００の厚さ方向において表示面１０１が位置する側に本体部１０が位置するようになる向き、即ち、立設部材１５０が位置する側の反対側に本体部１０が位置するようになる向きで、弾性部材４７と背面側把持部４２との間に表示部材１００を入り込ませる。
【００４８】
図８は、表示部材１００に照明装置１を取り付けた状態を示す説明図である。取付部４０の押圧部４６が有する弾性部材４７と背面側把持部４２との間に表示部材１００を入り込ませたら、軸部４５の延在方向に沿って押圧部４６を移動させることにより、押圧部４６を背面側把持部４２に近付ける。この押圧部４６の移動は、操作部４８を操作することにより行う。つまり、ユーザーが操作部４８を回転させて軸部４５を移動させることにより、軸部４５と共に押圧部４６を移動させ、押圧部４６を背面側把持部４２に近付ける。
【００４９】
その際に、操作部４８は、取付部４０の、長さ方向Ｙにおける本体部１０が位置する側に配置されており、即ち、表示部材１００における表示面１０１が位置する側に配置される。このため、操作部４８を操作する場合には、ユーザーは、表示部材１００における表示面１０１が位置する面側から操作部４８を操作して操作部４８を回転させることにより、押圧部４６を背面側把持部４２に近付ける。
【００５０】
これにより、押圧部４６が有する弾性部材４７が、表示部材１００の表示面１０１側の面に接触し、背面側把持部４２が、表示部材１００における表示面１０１の反対側の面に接触したら、押圧部４６を、背面側把持部４２に近付ける方向にさらに移動させる。即ち、押圧部４６を背面側把持部４２に近付けることにより、押圧部４６が有する弾性部材４７と背面側把持部４２とで、表示部材１００の厚さ方向における両側から表示部材１００を挟み込んだら、押圧部４６を、背面側把持部４２に近付ける方向にさらに移動させる。これにより、表示部材１００に対して押圧部４６から押圧力を付与する。
【００５１】
押圧部４６が有する弾性部材４７は、弾力性を有しているため、弾性部材４７が表示部材１００に接触した状態で、背面側把持部４２に近付く方向に押圧部４６を移動させ、表示部材１００に押圧力を付与する場合は、弾性部材４７は弾性変形して圧縮される。弾性部材４７が弾性変形して圧縮された場合、弾性部材４７から反力が発生し、弾性部材４７からの反力は、押圧部４６が背面側把持部４２から離れる方向に押圧部４６を押し返す力として作用する。
【００５２】
押圧部４６を押し返す力として作用する弾性部材４７からの反力は、押圧部４６が取り付けられる軸部４５に対しても作用し、軸部４５を軸部４５の延在方向に移動させる力として作用する。これにより、軸部４５と、当該軸部４５と噛み合うナット４４との間には、相対的な回転に対する抵抗力が発生し、軸部４５は回転し難くなる。取付部４０は、このように表示部材１００を、押圧部４６と背面側把持部４２とで表示部材１００の厚さ方向における両側から挟み込み、表示部材１００に対して押圧部４６から押圧力を付与することにより、表示部材１００に取り付けられる。
【００５３】
このように、取付部４０によって表示部材１００に取り付けられる照明装置１は、表示部材１００から取り外す際には、ユーザーが取付部４０の操作部４８を回転させて、押圧部４６が背面側把持部４２から離れる方向に軸部４５を移動させる。これにより、表示部材１００に対する押圧部４６からの押圧力は低減するため、表示部材１００が押圧部４６と背面側把持部４２との間から抜け出る方向に照明装置１を移動させることにより、照明装置１は、表示部材１００から取り外すことができる。取付部４０は、これらのように、操作部４８を操作して押圧部４６と背面側把持部４２との間隔を変化させることにより、表示部材１００に対して着脱することが可能になっている。
【００５４】
照明装置１は、操作部４８を操作することにより、表示部材１００に対して着脱可能になっているが、取付部４０によって照明装置１を表示部材１００に取り付ける際には、照明装置１は、本体部１０が表示部材１００の表示面１０１側に位置する向きで取り付けられる。このため、電源スイッチ１６をＯＮにすることにより、二次電池６１（図６参照）から供給される電力よって発光部１３（図５参照）を発光させた際には、発光部１３からの光は表示部材１００の表示面１０１に照射される。即ち、発光部１３を発光させた際には、発光部１３からの光は、本体部１０の発光面１４から拡散されながら、表示部材１００の表示面１０１に照射される。これにより、夜間等、表示部材１００の周囲の環境が暗くなった場合でも、車両の運転者や歩行者は、照明装置１の発光面１４から照射されることにより、表示部材１００の表示面１０１に表示されている情報を視認することが可能になる。
【００５５】
図９、図１０は、本体部１０が回動することについての説明図である。発光面１４から光を照射する本体部１０は、本体部回動軸１５を中心として回動自在に、支持部３０に取り付けられている。このため、発光面１４から光を照射する際には、図９や図１０に示すように、支持部３０に対して本体部回動軸１５を中心として本体部１０を回動させることにより、発光面１４から光を、任意の方向に照射することができる。これにより、発光面１４から光が、表示部材１００の表示面１０１以外に対しても照射されるようにしたり、光を照射したくない方向に対しては発光面１４から光が向かい難くなったりするようにすることができる。
【００５６】
照明装置１は、このように発光部１３の発光時における光を、任意の方向に照射することができるが、発光部１３に電力を供給する二次電池６１は、光エネルギーを変換した電力を蓄えることが可能になっている。つまり、照明装置１は、太陽電池２３（図３参照）を備えており、太陽電池２３は、太陽電池２３で受けた光のエネルギーを電力に変換することが可能になっている。太陽電池２３によって変換された電力は、制御部６０（図６参照）を介して二次電池６１に供給され、二次電池６１で蓄えられる。
【００５７】
太陽電池２３は、ソーラーユニット２０内に配置されており、ソーラーユニット２０は、照明装置１を表示部材１００に取り付けた状態では、本体部１０の上側に位置する。このため、太陽電池２３は、日中に照射される太陽光が直接、或いは間接的に照射され易い位置に配置される。これにより、太陽電池２３は、日中は多くの光エネルギーを効率よく電力に変換することができ、変換した電力を二次電池６１で蓄えることができる。
【００５８】
また、ソーラーユニット２０は、ソーラーユニット回動軸２５を中心として回動自在に本体部１０に取り付けられているため（図１０参照）、支持部３０に対する本体部１０の回動状態に関わらず、ソーラーユニット２０の向きを、太陽光を受け易い向きにすることができる。これにより、ソーラーユニット２０内に配置される太陽電池２３は、より確実に、多くの光エネルギーを効率よく電力に変換することができる。
【００５９】
制御部６０は、発光部１３を発光させる際には、このように二次電池６１に蓄えられた電力を発光部１３に供給することにより発光させる。また、照明装置１は、切替スイッチ１７（図６参照）を有しており、切替スイッチ１７を操作することにより、発光部１３の発光時の発光モードを切り替えることができる。具体的には、発光部１３の発光時の発光モードとして、発光部１３が発光し続ける点灯モードと、発光部１３の発光と消灯とが繰り返される点滅モードとが予め設定され、制御部６０に備えられる記憶部に記憶されている。発光モードは、切替スイッチ１７を押すたびに点灯モードと点滅モードとを切り替えられ、発光部１３の発光時は、切り替えられた発光モードで発光部１３は発光する。
【００６０】
さらに、制御部６０は、照明装置１の周囲の照度や、二次電池６１に蓄えられた電力の状態に基づいて、発光部１３の発光状態を切り替えることが可能になっている。照明装置１の周囲の照度に基づく発光部１３の発光の状態を切り替えは、照明装置１の周囲の照度である環境照度と、環境照度に対して予め設定されている閾値とを比較し、環境照度が閾値以下であるか否かに基づいて行う。環境照度に対する閾値は、予め設定されて、制御部６０に備えられる記憶部に記憶されている。
【００６１】
また、照明装置１の周囲の環境照度は、太陽電池２３が兼ねる照度検出部６５により検出する。即ち、太陽電池２３によって光エネルギーから変換した電力の大きさに基づいて、照明装置１の周囲の環境照度を検出する。太陽電池２３によって変換した電力の大きさに基づいて環境照度を検出する際には、例えば、太陽電池２３に照射される光の照度と、太陽電池２３によって光エネルギーから変換する電力の電圧との関係を、予め求めて制御部６０の記憶部に記憶しておく。制御部６０は、太陽電池２３で変換した電力の電圧を取得して電圧の大きさを測定し、制御部６０の記憶部に記憶されている照度と電圧との関係に、太陽電池２３で変換した電力の電圧を照らし合わせる。これにより、照明装置１の周囲の環境照度を求めることができる。
【００６２】
制御部６０は、予め設定されている閾値と、このように照度検出部６５で検出した環境照度とを比較することにより、発光部１３の発光を制御する。具体的には、制御部６０は、照度検出部６５で検出した環境照度が、予め設定されている閾値より高い場合は、発光部１３を消灯させ、照度検出部６５で検出した環境照度が、予め設定されている閾値以下である場合は、発光部１３を発光させる。即ち、制御部６０は、照度検出部６５で検出した環境照度が、予め設定されている閾値より高い場合は、電源スイッチ１６がＯＮになっていても、発光部１３を消灯させる。
【００６３】
また、二次電池６１に蓄えられた電力の状態に基づく、発光部１３の発光状態の切り替えは、二次電池６１の電圧と、電圧に対して予め設定されている閾値とを比較し、二次電池６１の電圧が閾値以下であるか否かに基づいて行う。制御部６０は、発光部１３を発光させる際に二次電池６１から供給される電力の電圧を取得して電圧の大きさを測定し、二次電池６１の電圧が所定の閾値以下の場合は、発光部１３に供給する電力を、通常発光時に発光部１３に供給する電力よりも低下させる。つまり、発光部１３を発光させる際において、二次電池６１の電圧が所定の閾値以下の場合には、発光部１３の光度を、通常発光時の光度よりも低下させた発光である省電力発光にして発光部１３を発光させることにより、二次電池６１の電力消費量を低減する。
【００６４】
表示部材１００に取り付けられた照明装置１は、これらのように照明装置１の周囲の環境照度や二次電池６１に蓄えられた電力の状態に基づいて、発光部１３の発光状態が切り替えられる。次に、このように発光部１３の発光状態を切り替える際における制御の手順について説明する。
【００６５】
図１１は、制御部６０で発光部１３の発光状態を切り替える際の制御の流れを示すフロー図である。以下の発光部１３の発光状態を切り替える際の制御は、発光モードが点灯モードと点滅モードとのいずれの発光モードが選択される場合においても適用される。照明装置１は、電源スイッチ１６がＯＮになっている状態では、切替スイッチ１７により切り替えられる発光モードに関わらず、照明装置１の周囲の照度である環境照度を検出する（ステップＳＴ１１）。環境照度の検出は、照度検出部６５を兼ねる太陽電池２３によって光エネルギーより変換した電力の電圧を測定し、測定した電圧を、制御部６０の記憶部に記憶されている照度と電圧との関係に照らし合わせることにより、環境照度を求める。
【００６６】
次に、環境照度は閾値以下であるか否かを、制御部６０で判定する（ステップＳＴ１２）。制御部６０は、照度検出部６５を兼ねる太陽電池２３で変換した電力より求められた環境照度と、環境照度に対する閾値として予め設定されて制御部６０の記憶部に記憶されている閾値とを比較し、現在の環境照度は、設定された閾値以下であるか否かを判定する。
【００６７】
制御部６０での判定により、環境照度は閾値より高いと判定された場合（ステップＳＴ１２、Ｎｏ判定）は、制御部６０は、発光部１３を消灯させる（ステップＳＴ１３）。
【００６８】
これに対し、制御部６０での判定により、環境照度は閾値以下であると判定された場合（ステップＳＴ１２、Ｙｅｓ判定）は、制御部６０は、二次電池６１の電圧を測定する（ステップＳＴ１４）。つまり、制御部６０は、二次電池６１から発光部１３に対して供給可能な電力の電圧を測定する。
【００６９】
二次電池６１の電圧を測定したら、測定した二次電池６１の電圧は電圧閾値以上であるか否かを、制御部６０で判定する（ステップＳＴ１５）。即ち、制御部６０は、制御部６０の記憶部に記憶されている電圧閾値と、測定した二次電池６１の電圧とを比較し、二次電池６１の現在の電圧は電圧閾値以上であるか否かを判定する。
【００７０】
制御部６０での判定により、二次電池６１の電圧は電圧閾値以上であると判定された場合（ステップＳＴ１５、Ｙｅｓ判定）は、制御部６０は、発光部１３を通常発光させる（ステップＳＴ１６）。即ち、制御部６０は、夜間等のように環境照度が低く、照明装置１の周囲が暗い状況において、表示部材１００の表示面１０１の視認性を向上させることができる光度で、発光部１３を発光させる。
【００７１】
これに対し、制御部６０での判定により、二次電池６１の電圧は電圧閾値未満であると判定された場合（ステップＳＴ１５、Ｎｏ判定）は、制御部６０は、発光部１３を省電力発光させる（ステップＳＴ１７）。即ち、制御部６０は、発光部１３に供給する電力を、通常発光時に発光部１３に供給する電力よりも低下させて、発光部１３を発光させる。
【００７２】
照明装置１に使用時は、これらを繰り返すことにより、照明装置１の周囲の環境照度が高い場合は発光部１３を消灯させて電力消費量を抑えることができ、また、二次電池６１で蓄えられている電力が低下した場合も、電力消費量を低減することができる。
【００７３】
以上の実施形態に係る照明装置１は、前面側把持部４３と背面側把持部４２との間に配置されて表示部材１００に接触する押圧部４６が、背面側把持部４２に対して本体部１０が位置する側に配置される前面側把持部４３を貫通する軸部４５の一端に取り付けられ、軸部４５における押圧部４６が取り付けられる側の反対側の端部には、軸部４５を移動させる操作部４８が取り付けられている。このため、押圧部４６を移動させて押圧部４６と背面側把持部４２とで表示部材１００を挟み込むために、操作部４８を操作する際には、表示部材１００に対して照射する光を発光する発光部１３を有する本体部１０が位置する側から、操作部４８を操作することができる。
【００７４】
これにより、照明装置１を表示部材１００に取り付ける際に、表示部材１００を立設部材１５０に取り付けた後でも、表示部材１００における表示面１０１が位置する側から操作部４８を操作することにより取り付けることができる。つまり、表示部材１００を立設部材１５０に取り付けた後でも、表示部材１００における立設部材１５０が位置する側の反対側から操作部４８を操作することにより取り付けることができ、立設部材１５０に取り付けた表示部材１００に対して、照明装置１を容易に取り付けることができる。この結果、表示部材１００への照明装置１の取り付けの容易性を向上させることができる。
【００７５】
また、軸部４５には、外周面にねじ山が形成され、前面側把持部４３には、軸部４５のねじ山に対応するねじ孔が形成されるナット４４が取り付けられており、軸部４５は、ナット４４のねじ孔を挿通した状態で回転させることにより、前面側把持部４３に対して移動可能になっている。これにより、軸部４５は、前面側把持部４３に対して容易に移動させることができ、前面側把持部４３と背面側把持部４２との間に配置されて軸部４５に取り付けられる押圧部４６を、軸部４５と共に容易に移動させることができる。従って、押圧部４６と背面側把持部４２との間に表示部材１００を位置させた際に、表示部材１００に対して押圧部４６から容易に押圧力を付与することができ、押圧部４６と背面側把持部４２とで容易に表示部材１００を挟み込むことができる。この結果、より確実に表示部材１００への照明装置１の取り付けの容易性を向上させることができる。
【００７６】
また、操作部４８は、軸部４５の径方向における大きさが軸部４５の直径よりも大きくなっているので、押圧部４６を移動させるためにユーザーが操作部４８を操作して軸部４５を移動させる際に、小さな力で軸部４５を移動させることができる。例えば、軸部４５の外周面にねじ山が形成され、軸部４５は回転することにより前面側把持部４３に対して移動可能に構成されている場合、ユーザーは、操作部４８を回転させることによって軸部４５を回転させることにより、小さな力で軸部４５を回転させることができる。従って、軸部４５を移動させることによって押圧部４６を移動させる際の操作性を向上させることができる。この結果、より確実に表示部材１００への照明装置１の取り付けの容易性を向上させることができる。
【００７７】
また、押圧部４６は、軸部４５の径方向における大きさが軸部４５の直径よりも大きいため、取付部４０によって照明装置１を表示部材１００に取り付けるために表示部材１００に対して押圧部４６から押圧力を付与する際に、表示部材１００に対してより広い面積で付与することができる。これにより、押圧部４６から表示部材１００に対して押圧力を付与した際における押圧部４６と表示部材１００との間の摩擦力をより確実に確保することができる。従って、表示部材１００に対して押圧部４６によって押圧力を付与しながら押圧部４６と背面側把持部４２とで表示部材１００を挟み込むことにより、より確実に表示部材１００に対して取付部４０を取り付けることができる。この結果、照明装置１を表示部材１００に取り付ける際における取り付け性を、より確実に向上させることができる。
【００７８】
また、押圧部４６は、表示部材１００に対して押圧部４６から押圧力を付与する際に、表示部材１００に対してより広い面積で付与することができるため、押圧力が局所的に集中することを抑制することができる。これにより、表示部材１００に対して局所的に大きな力が作用することに起因して、表示部材１００が損傷することを抑制することができる。このため、例えば、表示部材１００の表示面１０１に、車両のヘッドランプからの光を反射し易くすることにより表示面１０１の視認性を向上させる反射材（図示省略）が配置されている場合、反射材が損傷することを抑制することができる。即ち、押圧部４６は、表示部材１００に対してより広い面積で押圧力を付与することができるため、表示部材１００の表示面１０１に対して局所的に大きな力が作用することに起因して、表示面１０１に配置される反射材が損傷することを抑制することができる。従って、表示部材１００に照明装置１を取り付けても、反射材の機能が低下することを抑制することができ、反射材による表示面１０１の視認性の向上の効果を、長期間に亘って確保することができる。
【００７９】
また、表示部材１００の表示面１０１に反射材が配置されていない場合においても、照明装置１を取り付ける際に表示部材１００に局所的に大きな力が作用することに起因して、表示部材１００が損傷することを抑制することができ、表示面１０１が視認し難くなることを抑制できる。これらの結果、表示部材１００による注意喚起の機能を、長期間に亘って確保することができる。
【００８０】
また、押圧部４６には、表示部材１００に接触する面に、弾力性を有する弾性部材４７が配置されるため、表示部材１００に対して押圧部４６から押圧力を付与する際に押圧力が局所的に集中することを、より確実に抑制することができる。これにより、表示部材１００に照明装置１を取り付ける際に、表示部材１００に対して局所的に大きな力が作用することに起因して表示部材１００が損傷することを、より確実に抑制することができる。
【００８１】
また、軸部４５が、軸部４５のねじ山と、前面側把持部４３側のねじ孔とが噛み合った状態で軸部４５を回転させることにより、軸部４５が移動するように構成される場合は、弾性部材４７が表示部材１００に押し付けられることにより軸部４５に作用する弾性部材４７からの反力は、軸部４５の回転に対する抵抗としても作用する。このため、押圧部４６を表示部材１００に押し付けることにより取付部４０を表示部材１００に取り付ける際に、表示部材１００に取り付けた状態の取付部４０の軸部４５が回転することを抑制でき、取付部４０が表示部材１００に取り付けられた状態を維持することができる。この結果、表示部材１００の損傷を、より確実に抑制すると共に、照明装置１をより確実に表示部材１００に取り付けることができる。
【００８２】
また、太陽電池２３と二次電池６１とを備え、発光部１３は、二次電池６１から供給される電力よって発光するため、発光部１３の電源に乾電池を用いる場合のように、電池切れによって発光部１３が発光しなくなる状態を回避することができる。これにより、照明装置１が取り付けられる表示部材１００の視認性が、夜間等の暗い環境下で低下する際に、発光部１３からの光によってより確実に表示部材１００を照射することができ、表示部材１００の視認性を確保することができる。この結果、表示部材１００の視認性を継続的に確保することができる。
【００８３】
［変形例］
なお、上述した実施形態では、照明装置１は、電柱等の立設部材１５０に取り付けられた表示部材１００に取り付けられているが、照明装置１は、立設部材１５０に取り付けられた表示部材１００以外に取り付けてもよい。図１２は、実施形態に係る照明装置１の変形例であり、自立する表示部材１００に照明装置１が取り付けられる状態を示す説明図である。照明装置１は、例えば、図１２に示すように、脚部１０５を有することにより自立する表示部材１００に取り付けてもよい。この場合における表示部材１００の脚部１０５は、図１２に示すように、表示部材１００における表示面１０１の反対側の面に配置され、表示面１０１の反対側の面から、表示部材１００を支持することが可能になっている。照明装置１は、このように表示面１０１の反対側の面から表示部材１００を支持する脚部１０５により自立する表示部材１００の上端１０２に取り付けてもよい。
【００８４】
自立する表示部材１００に照明装置１を取り付ける場合でも、取付部４０の操作部４８が、本体部１０が位置する側、即ち、表示部材１００における表示面１０１側に位置することにより、照明装置１の取り付け作業を、表示面１０１側から行うことができる。これにより、ユーザーは、表示面１０１の表示内容を視認しながら、操作部４８を操作することができ、照明装置１を、表示部材１００に対して適切な位置に取り付けることができる。この結果、より確実に表示部材１００への照明装置１の取り付けの容易性を向上させることができる。
【００８５】
また、上述した実施形態では、照明装置１は、電柱等の柱状の立設部材１５０に取り付けられた表示部材１００に取り付けられているが、照明装置１は、柱状の立設部材１５０に取り付けられる表示部材１００以外に取り付けられてもよい。図１３は、実施形態に係る照明装置１の変形例であり、壁状の立設部材１５０に取り付けられる表示部材１００に照明装置１が取り付けられた状態を示す説明図である。照明装置１は、例えば、図１３に示すように、建物の壁等の壁状の立設部材１５０に取り付けられる表示部材１００に取り付けられてもよい。この場合、表示部材１００は、壁状の立設部材１５０に対して、固定部材（図示省略）により固定されたものであってもよく、または、壁状の立設部材１５０に対して立てかけたものであってもよい。照明装置１は、このように壁状の立設部材１５０に対して固定されたり、立設部材１５０に対して立てかけたりすることにより立設部材１５０に取り付けられた表示部材１００に対して、取り付けられてもよい。
【００８６】
壁状の立設部材１５０に取り付けられる表示部材１００に照明装置１を取り付ける場合でも、取付部４０の操作部４８が、本体部１０が位置する側、即ち、表示部材１００における表示面１０１側に位置することにより、照明装置１の取り付け作業を、表示面１０１側から行うことができる。これにより、壁状の立設部材１５０に取り付けられて、表示面１０１の反対側の面からの取り付け作業が困難な表示部材１００に対しても、表示部材１００の表示面１０１側から、照明装置１の取り付け作業を行うことができる。この結果、より確実に表示部材１００への照明装置１の取り付けの容易性を向上させることができる。
【００８７】
また、上述した実施形態では、照度を検出する照度検出部６５は、太陽電池２３が兼ねているが、照度検出部６５は、太陽電池２３とは別の部材が用いられていてもよい。照度検出部６５は、例えば、受光した光の照度を検出することのできる照度センサが用いられていてもよい。照度検出部６５は、照明装置１の周囲の環境照度を検出することができ、検出結果を、発光部１３の発光と消灯との切り替えに用いることができるものであれば、その手段や構成は問わない。
【００８８】
また、上述した実施形態では、発光部１３には、ＬＥＤが用いられているが、発光部１３は、ＬＥＤ以外の光源が用いられてもよい。また、表示部材１００に照射する光を発光部１３は、任意の色で発光したり、複数の色で発光したりしてもよい。また、発光部１３の発光時における発光モードも、例えば、発光と消灯とのタイミングが異なる点滅パターンが複数設定されることにより、３種類以上の発光モードが設定されていてもよい。発光部１３は、表示部材１００の表示面１０１に光を照射した際に、表示面１０１の視認性を確保することができれば、発光時の色や発光のパターンは問わない。
【００８９】
また、上述した実施形態では、太陽電池２３で変換した電力を蓄える蓄電部として、二次電池６１が用いられているが、蓄電部は、二次電池６１以外であってもよい。蓄電部は、例えば、キャパシタが用いられてもよい。
【符号の説明】
【００９０】
１  照明装置
１０  本体部
１３  発光部
２０  ソーラーユニット
２３  太陽電池
３０  支持部
４０  取付部
４１  枠体
４２  背面側把持部
４３  前面側把持部
４４  ナット
４５  軸部
４６  押圧部
４７  弾性部材
４８  操作部
６０  制御部
６１  二次電池（蓄電部）
１００  表示部材
１０１  表示面
１５０  立設部材
【図１】
0003229433.tif 000003
【図２】
0003229433.tif 000004
【図３】
0003229433.tif 000005
【図４】
0003229433.tif 000006
【図５】
0003229433.tif 000007
【図６】
0003229433.tif 000008
【図７】
0003229433.tif 000009
【図８】
0003229433.tif 000010
【図９】
0003229433.tif 000011
【図１０】
0003229433.tif 000012
【図１１】
0003229433.tif 000013
【図１２】
0003229433.tif 000014
【図１３】
0003229433.tif 000015